(57)【要約】【課題】消費電流をより低減できる端末装置を提供する。【解決手段】照度センサ１０３は照度に比例した電圧値を測定する。そして、省電力モードにおいて制御部１０７は単位時間当たりの増加量を示す光の増加量を算出する。制御部１０７は、光の増加量が光変化基準値より大きければ通常モードに切り替わり、光の増加量が光変化基準値以下であれば、省電力モードを維持する。【選択図】図１
2008103819.tif 000002
【特許請求の範囲】
【請求項１】
ユーザが通常に利用できる状態で動作する通常モードにおいて、操作の無い状態が一定時間継続すると、前記通常モードよりも電力の消費を低減するための省電力モードに切り替わる端末装置であって、
外光の照度を測定する照度センサ部と、
前記省電力モードにおいて、前記照度センサ部で測定された照度から、該照度の単位時間当たりの増加量を示す照度増加量を算出し、該照度増加量が所定の基準変化量より大きければ前記通常モードに切り替わり、前記照度増加量が前記基準変化量以下であれば前記省電力モードを維持する制御部と、を有する端末装置。
【請求項２】
前記制御部は、前記省電力モードにおいて、前記照度センサ部で測定された前記照度が所定の照度閾値より高ければ、前記省電力モードであることを前記ユーザに認識させるための省電力状態表示を実行し、前記照度が前記照度閾値以下であれば前記省電力状態表示を実行しない、請求項１に記載の端末装置。
【請求項３】
前記照度閾値には上限閾値と下限閾値があり、
前記制御部は、前記省電力モードにおいて、省電力状態表示を実行していないとき、前記照度センサ部で測定された前記照度と前記上限閾値とを比較し、前記照度が前記上限閾値より高ければ、前記省電力状態表示を実行するように切り替え、前記省電力状態表示を実行しているとき、前記照度センサ部で測定された前記照度と前記下限閾値とを比較し、前記照度が前記下限閾値以下であれば、前記省電力状態表示を実行しないように切り替える、請求項２に記載の端末装置。
【請求項４】
前記省電力状態表示は、点灯部を、輝度を調整可能に点灯させることによる表示であり、
前記端末装置は、前記省電力状態表示における前記点灯部の輝度を調整するために複数の閾値を記憶する記憶部を更に有しており、
前記制御部は、前記照度センサ部で測定された照度と前記記憶部で記憶した複数の前記閾値とを比較し、比較結果に応じた輝度で省電力状態表示を実行する、請求項２または３に記載の端末装置。
【請求項５】
ユーザが通常に利用できる状態で動作する通常モードにおいて、操作の無い状態が一定時間継続すると、前記通常モードよりも電力の消費を低減するための省電力モードに切り替わる端末装置の省電力制御方法であって、
前記省電力モードにおいて、外光の照度を測定し、
測定した前記照度から、該照度の単位時間当たりの増加量を示す照度増加量を算出し、
前記照度増加量が所定の基準変化量より大きければ前記通常モードに切り替え、
前記照度変化量が前記基準変化量以下であれば前記省電力モードを維持する、省電力制御方法。
【請求項６】
前記省電力モードにおいて、測定した前記照度が所定の照度閾値より高ければ、前記省電力モードであることを前記ユーザに認識させるための省電力状態表示を実行し、前記照度が前記照度閾値以下であれば前記省電力状態表示を実行しない、請求項５に記載の省電力制御方法。
【請求項７】
前記照度閾値には上限閾値と下限閾値があり、
前記省電力モードにおいて、前記省電力状態表示を実行していないとき、前記照度と前記上限閾値とを比較し、前記照度が前記上限閾値より高ければ、前記省電力状態表示を実行するように切り替え、前記省電力状態表示を実行しているとき、前記照度と前記下限閾値とを比較し、前記照度が前記下限閾値以下であれば、前記省電力状態表示を実行しないように切り替える、請求項６に記載の省電力制御方法。
【請求項８】
前記省電力状態表示は、前記端末装置の点灯部を、輝度を調整可能に点灯させることによる表示であり、
前記省電力状態表示における前記点灯部の輝度を調整するために複数の閾値を記憶しておき、
測定された照度と複数の前記閾値とを比較し、比較結果に応じた輝度で省電力状態表示を実行する、請求項６または７に記載の省電力制御方法。
【発明の詳細な説明】
【技術分野】
【０００１】
本発明は、省電力モードを備える端末装置に関する。
【背景技術】
【０００２】
ユーザは携帯電話機の性能を待ち受け時間の長さで判断することがある。待ち受け時の消費電流が低減すれば、待ち受け時間は延長する。しかし、携帯電話機の表示部は、大画面化、高輝度化、高精度化しており、消費電流は増加傾向にある。
【０００３】
携帯電話機の中には、消費電力を削減するために省電力モードへ切り替わる機能を備えたものがある。省電力モードとは、携帯電話機を開いた状態で画面を消灯するモードである。折畳み可能な携帯電話機の場合、ユーザが携帯電話機を折畳むと、画面は消灯する。一方、ユーザが携帯電話機を開くと、画面は点灯する。開いた状態でもユーザが所定の時間内にボタンを操作しないと、携帯電話機は省電力モードに切り替わる。
【０００４】
そして、省電力モードになると、携帯電話機は省電力状態表示を行う。省電力状態表示とは、省電力モードであることをユーザに認識させるための表示であり、例えば所定の時間間隔でキーバックライトや着信ＬＥＤ（Ｌｉｇｈｔ  Ｅｍｉｔｔｉｎｇ  Ｄｉｏｄｅ）を電流により点滅させることである。これにより、ユーザは携帯電話機が省電力モードであることを確認できる。
【０００５】
図７は特許文献１に開示された携帯電話機２の構成を示すブロック図である。携帯電話機２は照度センサ部１０３、表示部１０５、制御部１０７、および記憶部１１２を有している。
【０００６】
照度センサ部１０３は携帯電話機の外周面等に配置される。照度センサ部１０３は、照度を検出し、照度に比例した電圧値を制御部１０７に出力する。
【０００７】
表示部１０５はＬＣＤ（Ｌｉｑｕｉｄ  Ｃｒｙｓｔａｌ  Ｄｉｓｐｌａｙ）からなるディスプレイである。表示部１０５は制御部１０７から点灯させる旨の要求を受けて点灯する。また、表示部１０５は、制御部から消灯させる旨の要求を受けて消灯する。
【０００８】
記憶部１１２は、表示部１０５を点灯させるための電圧の閾値を予め記憶している。記憶部１１２は制御部１０７からの要求により読み出される。
【０００９】
制御部１０７は、照度センサ部１０３からの照度に比例する電圧値と、記憶部１１２から読み出した閾値とを比較する。比較した結果、照度センサ部１０３の電圧値が閾値以上であれば、制御部１０７は表示部１０５を点灯させる。一方、比較した結果、照度センサ部１０３の電圧値が閾値以下であれば、制御部１０７は表示部１０５を消灯させる。これにより消費電流は低減される。
【特許文献１】特開２００４−１４０４７２号公報
【発明の開示】
【発明が解決しようとする課題】
【００１０】
特許文献１の携帯電話機２は太陽光のように徐々に明るくなる光に反応することがあった。太陽光のように光が徐々に明るくなると、照度センサ部１０３から出力される電圧値も徐々に増加していく。そして、電圧値が増加し、記憶部１１２で記憶した閾値を超えると、表示部１０５は点灯していた。
【００１１】
しかしながら、ユーザが携帯電話機の付近におらず外光が自然と徐々に明るくなった場合でも、上述したように表示部１０５が点灯し、点灯に必要な電流を無駄に消費してしまう問題点があった。
【００１２】
本発明の目的は、消費電流をより低減できる通信端末装置を提供することにある。
【課題を解決するための手段】
【００１３】
上記目的を達成するために、本発明の端末装置は、
ユーザが通常に利用できる状態で動作する通常モードにおいて、操作の無い状態が一定時間継続すると、前記通常モードよりも電力の消費を低減するための省電力モードに切り替わる端末装置であって、
外光の照度を測定する照度センサ部と、
前記省電力モードにおいて、前記照度センサ部で測定された照度から、該照度の単位時間当たりの増加量を示す照度増加量を算出し、該照度増加量が所定の基準変化量より大きければ前記通常モードに切り替わり、前記照度変化量が前記基準変化量以下であれば前記省電力モードを維持する制御部と、を有している。
【００１４】
本発明によれば、光の増加量が光変化基準値以下であれば省電力モードから通常モードに切り替わらないので、徐々に自然と明るくなるような外光の小さな変化で通常モードに戻ってしまうことを防止できる。これにより、例えばユーザが端末装置の付近にいないような場合に外光の小さな変化で不必要に通常モード戻って電流が無駄に消費されるということがなくなり、消費電流をより低減できる。
【００１５】
また、前記制御部は、前記省電力モードにおいて、前記照度センサ部で測定された前記照度が所定の照度閾値より高ければ、前記省電力モードであることを前記ユーザに認識させるための省電力状態表示を実行し、前記照度が前記照度閾値以下であれば前記省電力状態表示を実行しないようにしてもよい。
【００１６】
これによれば、端末装置の周囲が明るければ省電力状態表示がされ、周囲が暗ければ省電力状態表示がされないこととなる。周囲が明るくユーザが省電力モードか否かを確認する可能性のあるときには省電力状態表示によりユーザに確実に認識させることができ、かつ周囲が暗くユーザが省電力モードか否かを確認する可能性が低いときには省電力状態表示を行わないことで電流の無駄を抑えることができる。
【００１７】
また、前記照度閾値には上限閾値と下限閾値があり、前記制御部は、前記省電力モードにおいて、前記省電力状態表示を実行していないとき、前記照度センサ部で測定された前記照度と前記上限閾値とを比較し、前記照度が前記上限閾値より高ければ、前記省電力状態表示を実行するように切り替え、前記省電力状態表示を実行しているとき、前記照度センサ部で測定された前記照度と前記下限閾値とを比較し、前記照度が前記下限閾値以下であれば、前記省電力状態表示を実行しないように切り替えるようにしてもよい。
【００１８】
これによれば、閾値付近で頻繁に電圧値が変動しても、制御部は省電力状態表示の実行の切り替えを行わない。そのため、制御部の処理負荷が軽減される。
【００１９】
前記省電力状態表示は、点灯部を、輝度を調整可能に点灯させることによる表示であり、前記端末装置は、前記省電力状態表示における前記点灯部の輝度を調整するために複数の閾値を記憶する記憶部を更に有しており、前記制御部は、前記照度センサ部で測定された照度と前記記憶部で記憶した複数の前記閾値とを比較し、比較結果に応じた輝度で省電力状態表示を実行するようにしてもよい。
【００２０】
これによれば、周囲の明るさに応じて輝度を調整できる。そのため、ユーザは認識しやすい輝度で省電力状態表示を確認できる。
【発明の効果】
【００２１】
本発明によれば、消費電力をより低減できる。
【発明を実施するための最良の形態】
【００２２】
本発明を実施するための形態について図面を参照して詳細に説明する。
【００２３】
図１は本実施形態の携帯電話機１の構成を示すブロック図である。携帯電話機１は、アンテナ１０１、無線部１０２、照度センサ部１０３、キーバックライト部１０４、表示部１０５、操作部１０６、制御部１０７、音声処理部１０８、スピーカ１０９、マイク１１０、折畳み判定部１１１、記憶部１１２、およびタイマ部１１３を有している。
【００２４】
携帯電話機１は折畳み型の携帯電話機である。折畳み型の携帯電話機１では、液晶ディスプレイなどの表示部１０５を含む第１の筐体（不図示）とボタンなどの操作部１０６を含む第２の筐体（不図示）とがヒンジ部（不図示）で回転可能に連結されており、ヒンジ部を軸として回転させることにより、携帯電話機１の開閉が行われる。
【００２５】
アンテナ１０１は、無線によって、無線基地局（不図示）から到来した受信波を受信するとともに、無線基地局に送信波を送信する。
【００２６】
無線部１０２は、アンテナ１０１からの受信波を復調し、受信情報として制御部１０７に送るとともに、制御部１０７からの送信情報を変調し、送信波としてアンテナ１０１に送る。
【００２７】
照度センサ１０３はスピーカ１０９やマイク１１０の近傍など携帯電話機１を開いたときに外光が受光可能な位置に設置されている。照度センサ部１０３は、外光を受光すると、受光した光の照度を検出する。そして、照度センサ部１０３は検出した照度に比例した電圧値を制御部１０７に送る。
【００２８】
キーバックライト部１０４は、操作部１０４の背面に配置されており、制御部１０７から省電力状態表示を実行させる旨の要求を受けると所定の時間間隔で点滅する。
【００２９】
表示部１０５は、制御部１０７から送られてきた画像情報を表示する。表示部１０５は、例えば液晶ディスプレイである。表示部１０５は、制御部１０７から点灯する旨の要求を受けると点灯し、制御部１０７から消灯する旨の要求を受けると消灯する。また、開いた状態で所定の時間が経過すると、表示部１０５は消灯する。
【００３０】
操作部１０６はユーザから操作入力を受け付ける。操作部１０６は、例えば電話番号を入力するボタン、マナーモードに切り替えるボタン、および通話開始又は終了のボタンなどである。
【００３１】
音声処理部１０８は、制御部１０７からの音声信号をアナログ信号に変換し、音声としてスピーカ１０９から出力させる。また、音声処理部１０８は、マイク１１０からの音声をデジタル信号に変換し、音声信号として制御部１０７に送る。
【００３２】
折畳み検出部１１１は第１の筐体と第２の筐体との角度を検出する。
【００３３】
記憶部１１２は、制御部１０７からの電圧値を記憶するとともに、光の変化量を算出するための電圧値を光変化基準値として記憶する。また、記憶部１１２は、省電力状態表示の時間間隔を記憶するとともに、光の変化量を算出するための時間間隔を記憶する。さらに、記憶部１１２は電圧値の上限閾値と電圧値の下限閾値を記憶する。上限閾値４０１とは、周辺が明るいと判定するための閾値であり、下限閾値４０２とは、周辺が暗いと判定するための閾値である。
【００３４】
なお、ユーザが光変化基準値を任意に設定できるようにしてもよい。この場合、表示部１０５に光変化基準値を設定させる画面を表示させ、ユーザはその表示部１０５を確認しながら光変化基準値を設定する。これによればユーザの環境に応じて最適な光変化基準値を設定できる。同様な方法で、上限閾値及び下限閾値を任意に設定できるようにしてもよい。
【００３５】
タイマ部１１３は、周囲の明るさを判定するための時間間隔をカウントする。携帯電話機１が省電力モードに切り替わると、タイマ部１１３は起動し時々刻々とタイマをカウントする。
【００３６】
制御部１０７は、折畳み状態と、所定時間内の操作入力の有無とに基づいて、表示部１０５を点灯させる通常モードと、表示部１０５を消灯させる省電力モードとの切り替えを制御する。
【００３７】
制御部１０７は、折畳み検出部１１１で検出した角度が所定の角度以上であれば、開いている状態と判定して表示部１０５を表示させる。同様に、制御部１０７は、折畳み検出部１１１で検出した角度が所定の角度未満ならば、折畳まれている状態と判定して表示部１０５を点灯させる。
【００３８】
また、制御部１０７は、外光の変化量に基づいて、省電力モードから通常モードへ切り替えるか否かを判断する。制御部１０７は、省電力モードにおいて照度センサ１０３からの照度を示す電圧値から光の変化量を算出し、光の増加量が光変化基準値より大きければ、通常モードに切り替える。これに対し、光が増加していてもその増加量が光変化基準値以下であれば、制御部１０７は省電力モードを維持する。
【００３９】
また、制御部１０７は、省電力モードであることをユーザに認識させるための表示である省電力状態表示を実行するか否かを判定する。制御部１０７は、タイマ部１１３のタイマと記憶部１１２で記憶した省電力状態表示の時間間隔とを比較し、タイマが省電力状態表示の時間間隔を超えていれば、周辺の明るさを判定する。制御部１０７は、暗いと判定すれば省電力状態表示を実行させず、明るいと判定すれば省電力状態表示を実行させる。
【００４０】
制御部１０７は、操作部１０６を監視し、ユーザから操作入力を受け付けると、表示部１０５を点灯させる。また、制御部１０７は、無線部１０２からの受信情報を音声信号に変換して音声処理部１０８に出力するとともに、音声処理部１０８からの音声信号を送信情報に変換して無線部１０２に出力する。
【００４１】
図２は本実施形態の携帯電話機１の動作を示すフローチャートである。まず、折畳み判定部１１１は携帯電話機１の折畳み状態を検出する（ステップ２００）。制御部１０７は、折畳み検出部１１１を監視しており、折畳み検出部１１１で検出した折畳み状態を判定する（ステップ２０１）。折畳まれた状態と判定すれば、制御部１０７は表示部１０５を消灯させて処理を終了させる（ステップ２０２）。
【００４２】
開いた状態と判定すれば、制御部１０７は表示部１０５に点灯させる（ステップ２０３）。次に、制御部１０７はユーザの操作入力を監視する（ステップ２０４）。所定の時間内にユーザの操作入力が行われると、ステップ２０４に戻る（ステップ２０５）。
【００４３】
所定の時間内にユーザの操作入力が行われないと、省電力モードに切り替わり、制御部１０７は表示部１０５を消灯させる（ステップ２０６）。照度センサ部１０３は制御部１０７に電圧値を送る（ステップ２０７）。制御部１０７は、記憶部１１２で記憶した前回の電圧値と今回の電圧値とを比較して光の変化量を算出する（ステップ２０８）。光の増加量が光変化基準値より大きければ、制御部１０７は省電力モードから通常のモードに切り替えて表示部１０５を点灯させる（ステップ２０９）。制御部１０７は記憶部１１２に電圧値を更新させる（ステップ２１０）。
【００４４】
光の増加量が光変化基準値以下であれば、制御部１０７はタイマ部１１３のタイマが記憶部１１２で記憶した省電力状態表示の時間を超えているか否かを判定する（ステップ２１１）。判定した結果、タイマ部１１３の経過時間が省電力状態表示の時間を超えていなければ、制御部１０７は記憶部１１２に電圧値を記憶させて、ステップ２０７に戻る（ステップ２１２）。判定した結果、タイマ部１１３の経過時間が省電力状態表示の時間を超えていれば、制御部１０７は携帯電話機１の周囲の明るさを測定する（ステップ２１３）。
【００４５】
測定した結果、明るいと判定すると制御部１０７は省電力状態表示を行ってステップ２１２に戻る（ステップ２１４）。測定した結果、暗いと判定すると制御部１０７は省電力状態表示を行わず、ステップ２１２に戻る。
【００４６】
図３は本実施形態の光の変化量を検出するためのタイムチャートである。図３では、横軸が「時間」であり、縦軸が「照度センサ部１０３で検出された電圧値」である。光変化量算出時刻（Ａ、Ｂ、Ｃ、およびＤ）は光の変化量を算出するための時刻である。
【００４７】
光変化量算出時刻Ａは室内が暗い状態での光の変化量を算出するための時刻を示している。光変化量算出時刻Ａでは電圧値が低い。
【００４８】
光変化量算出時刻Ｂは電圧値が上昇を開始した状態での光の変化量を算出するための時刻を示している。光変化量算出時刻Ｂの付近では電圧値が急激に増加している。
【００４９】
光変化量算出時刻Ｃは電圧値の上昇が終了した状態での光の変化量を算出するための時刻を示している。
【００５０】
光変化量算出時刻Ｄは、室内が明るい状態の時刻を示している。光変化量算出時刻Ｄでは電圧値が高い。
【００５１】
光の変化量は今回の光変化量算出時刻の電圧値と前回の光変化量算出時刻の電圧値との差で算出される。例えば、光変化量算出時刻Ｂの光の増加量（光変化量算出時刻Ｂの電圧値と光変化量算出時刻Ａの電圧値との差）が光変化基準値以下であると、表示部１０５は点灯しない。光変化量算出時刻Ｃの光の増加量（光変化量算出時刻Ｃの電圧値と光変化量算出時刻Ｂの電圧値との差）が光変化基準値より大きければ、表示部１０５は点灯する。これにより、徐々に明るくなるような外光を照度センサ１０３が受光しても、表示部１０５は点灯しない。
【００５２】
また、暗い部屋に放置された携帯電話機１の表示部１０５は消灯しているが、部屋が急に明るくなると、表示部１０５は自動的に点灯する。これにより、ユーザが操作部１０６を操作しなくとも即座に携帯電話機１の表示部１０５を確認できる。
【００５３】
図４は本実施形態の明るさを判定するためのタイムチャートである。図４では、横軸が「時間」であり、縦軸が「照度センサ部１０３で検出された電圧値」である。
【００５４】
記憶部１１２は上限閾値４０１と下限閾値４０２を予め記憶しておく。また、記憶部１１２は明るさの判定結果をフラグとして記憶する。例えば、制御部１０７は、明るいと判定すれば、記憶部１１２にフラグとして「０」を記憶させる。制御部１０７は、暗いと判定すれば、記憶部１１２にフラグとして「１」を記憶させる。
【００５５】
図４では、携帯電話機１が暗い部屋に放置され、フラグの初期値は「１」である。照度センサ１０３で検出された電圧値が上限閾値４０１より大きければ、制御部１０７は室内が明るいと判定しフラグを「０」にする。照度センサ１０３で検出された電圧値が下限閾値以下であれば、制御部１０７は室内が暗いと判定しフラグを「１」にする。
【００５６】
本実施形態のように上限閾値と下限閾値との２つの閾値を用いて明るさを判定すると、閾値付近で頻繁に電圧値が変動しても、制御部１０７はフラグの更新を行わない。これにより、制御部１０７の処理負荷が軽減される。
【００５７】
また、本実施形態では２つの閾値を用いて明るさを判定したが、本発明はこれに限定されない。例えば、１つの閾値を用いて明るさの判定を行ってもよい。蛍光灯が設置された部屋では、点灯又は消灯のみが行われることが多い。点灯したときの照度と消灯したときの照度との平均値を閾値する。
【００５８】
これによれば、携帯電話機１の周囲が明るければ省電力状態表示がされ、周囲が暗ければ省電力状態表示がされないこととなる。周囲が明るくユーザが省電力モードか否かを確認する可能性のあるときには省電力状態表示によりユーザに確実に認識させることができ、かつ周囲が暗くユーザが省電力モードか否かを確認する可能性が低いときには省電力状態表示を行わないことで電流の無駄を抑えることができる。
【００５９】
また、本実施形態では、２つの閾値を用いて明るさを判定する例を示したが、本発明はこれに限られない。予め３つ以上の閾値を用いて明るさを判定してもよい。例えば、制御部１０７が３つの閾値を用いて明るさを判定すると、電圧値が第１の閾値より小さい場合には、制御部１０７は暗いと判定する。電圧値が第１の閾値と第２の閾値との間に含まれる場合には、制御部１０７は薄暗いと判定する。電圧値が第２の閾値と第３の閾値との間に含まれる場合には、制御部１０７は薄明るいと判定する。電圧値が第３の閾値より大きい場合には、制御部１０７は明るいと判定する。制御部１０７は判定結果の応じた輝度でキーバックライト部１０４を点灯させる。
【００６０】
これによれば、周囲の明るさに応じて輝度を調整できる。そのため、ユーザは認識しやすい輝度で省電力状態表示を確認できる。
【００６１】
図５は本実施形態の明るさを判定する方法を示すフローチャートである。制御部１０７は、記憶部１１２で記憶したフラグを読み出す（ステップ５００）。制御部１０７は読み出したフラグを判定する（ステップ５０１）。判定した結果、フラグが「１」であれば、制御部１０７は電圧値と上限閾値４０１とを比較する（ステップ５０２）。比較した結果、電圧値が上限閾値４０１より大きければ、制御部１０７は記憶部１１２のフラグを「０」に更新する（ステップ５０３）。比較した結果、電圧値が上限閾値以下であれば、制御部１０７はフラグを更新せず、処理を終了させる（ステップ５０４）。
【００６２】
ステップ５０１の処理で、判定した結果、フラグが「０」であれば、制御部１０７は電圧値と下限閾値４０２とを比較する（ステップ５０５）。比較した結果、電圧値が下限閾値４０２以下であれば、制御部１０７は記憶部１１２のフラグを「１」を更新する（ステップ５０６）。比較した結果、電圧値が下限閾値より大きければ、制御部１０７はフラグを更新せず、処理を終了させる（ステップ５０７）。
【００６３】
図６は本実施形態において明るさが判定されたときの省電力状態表示の動作を示す図である。図６（ａ）は明るさの判定結果を示している。図６（ａ）では、部屋は、明るい状態から暗い状態なり、再び明るい状態に戻っている。
【００６４】
図６（ｂ）では、キーバックライトの点灯の有無を示している。制御部１０７は、室内が明るいと判定すると、所定の時間間隔でキーバックライト部１０４を点滅させる。制御部１０７は、室内が暗いと判定すると、キーバックライト部１０４の点滅を停止させる。
【００６５】
以上説明したように本実施形態によれば、照度センサ１０３は照度に比例した電圧値を測定する。そして、省電力モードにおいて制御部１０７は単位時間当たりの増加量を示す光の増加量を算出する。制御部１０７は、光の増加量が光変化基準値より大きければ通常モードに切り替わり、光の増加量が光変化基準値以下であれば、省電力モードを維持する。光の増加量が光変化基準値以下であれば省電力モードから通常モードに切り替わらないので、徐々に自然と明るくなるような外光の小さな変化で通常モードに戻ってしまうことを防止できる。これにより、例えばユーザが携帯電話機の付近にいないような場合に外光の小さな変化で不必要に通常モード戻って電流が無駄に消費されるということがなくなり、消費電流をより低減できる。
【００６６】
また、本実施形態では、省電力モードに切り替わると照度センサ１１３が起動する例を示したが、本発明はこれに限られない。省電力モードに切り替わっても、照度センサ１１３が起動しないようにしてもよい。その場合、照度センサ１１３の起動を開始又は停止するようなボタンを配置する。これによれば、ユーザの使用条件に応じてより適切に利用できる。
【００６７】
また、本実施形態では、折畳み型の携帯電話機の例を示したが、本発明はこれに限られない。ストレート型の携帯電話機でもよいし、省電力モードを備えている端末装置であれば適用できる。
【図面の簡単な説明】
【００６８】
【図１】本実施形態の携帯電話機１の構成を示すブロック図である。
【図２】本実施形態の携帯電話機１の動作を示すフローチャートである。
【図３】本実施形態の光の変化量を検出するためのタイムチャートである。
【図４】本実施形態の明るさを判定するためのタイムチャートである。
【図５】本実施形態の明るさを判定する方法を示すフローチャートである。
【図６】本実施形態において明るさが判定されたときの省電力状態表示の動作を示す図である。
【図７】従来の携帯電話機２の構成を示すブロック図である。
【符号の説明】
【００６９】
１      携帯電話機
２      従来の携帯電話機
１０１  アンテナ
１０２  無線部
１０３  照度センサ部
１０４  キーバックライト部
１０５  表示部
１０６  操作部
１０７  制御部
１０８  音声処理部
１０９  スピーカ
１１０  マイク
１１１  折畳み検出部
１１２  記憶部
１１３  タイマ部
２００〜２１４  ステップ
５００〜５０７  ステップ
【図１】
2008103819.tif 000003
【図２】
2008103819.tif 000004
【図３】
2008103819.tif 000005
【図４】
2008103819.tif 000006
【図５】
2008103819.tif 000007
【図６】
2008103819.tif 000008
【図７】
2008103819.tif 000009